(57)【要約】【課題】情報処理装置が第１の筐体と第２の筐体とで着脱可能な場合に、着脱の度に情報処理装置用のカバーを取り外すのは煩わしい。【解決手段】第１の筐体は、情報を表示する略平面長方形形状の表示部と、表示部の長手方向側の第１の筐体側面に第２の筐体と電気的に接続するコネクタと、コネクタが設けられている同一の側面に第２の筐体と機械的に接続するロック機構とを有し、カバーは情報処理装置の表示部と対抗する側の第１の筐体に当接する背板部と、コネクタやロック機構が備えられている表示部の長手辺側の端部側を側面と実質的に平行に通る前部ベルトと、前部ベルトの中間部から側面へ伸び、側面から背板部に回り込む下部ベルトと、を備え、下部ベルトは、コネクタとロック機構が配置されている部分を避けて背板部へ回り込んでいる、情報処理装置のカバー。【選択図】図５
2020154343.tif 000002
【特許請求の範囲】
【請求項１】
情報処理装置のカバーであって、
前記情報処理装置は、第１の筐体と第２の筐体とが脱着可能であり、
前記第１の筐体は、
情報を表示する略平面長方形形状の表示部と、
前記表示部の略平面長方形形状の長手辺側の前記第１の筐体側面に第２の筐体と電気的に接続するコネクタと、
前記コネクタが設けられている同一の前記側面に前記第２の筐体と機械的に接続するロック機構と、を有し、
前記カバーは、
前記情報処理装置の前記表示部と対抗する側の前記第１の筐体に当接する背板部と、
前記コネクタや前記ロック機構が備えられている前記表示部の前記長手辺側の端部近傍を前記平面長方形形状の長手方向に通る前部ベルトと、
前記前部ベルトから前記側面へ伸び、前記側面から前記背板部に回り込む下部ベルトと、を備え、
前記下部ベルトは、前記コネクタと前記ロック機構と干渉しない位置を通って前記背板部へ回り込んでいる、情報処理装置のカバー。
【請求項２】
前記第１の筐体は、前記ロック機構を２つ有し、
前記情報処理装置のカバーは、前記下部ベルトを２つ備えており、
一方の前記下部ベルトは、前記コネクタと一方の前記ロック機構との間の位置を前記前部ベルトから前記背板部へ通され、
他方の前記下部ベルトは、前記コネクタと他方の前記ロック機構との間の位置を前記前部ベルトから前記背板部へ通されている、
請求項１に記載の情報処理装置のカバー。
【請求項３】
前記下部ベルトは、前記第１の筐体と第２の筐体とが接続されている際に、前記第１の筐体と第２の筐体の接続時の隙間部分に収まる厚みである、
請求項１に記載の情報処理装置のカバー。
【請求項４】
前記背板部には把持部がさらに備えられ、
前記把持部は、
前記表示部の長手方向に伸び、その一部が撓まされたベース部と、
前記ベース部に取り付けられ伸縮可能な伸縮部と、
を備えている、請求項１に記載の情報処理装置のカバー。
【発明の詳細な説明】
【技術分野】
【０００１】
本発明は、情報処理装置のカバーに関する。
【背景技術】
【０００２】
タブレット型の情報処理装置であるタブレット端末において、可搬性を保持してタブレット端末の利用を可能にするカバーやケースを装着することが知られている。特許文献１では、タブレット端末の背面に留め金でハンドストラップを取り付けることで、利用者の手がタブレット端末の保持性を向上させることが示されている。
【０００３】
特許文献２では、ラップトップ型のパーソナルコンピュータにおいて外乱等の衝撃からパーソナルコンピュータを保護する目的で、保護カバーを装着することが記載されている。保護カバーはパーソナルコンピュータの位置決め穴に保護カバーの突起部材を嵌合させることで保護カバーをパーソナルコンピュータに取り付ける技術が開示されている。
【先行技術文献】
【特許文献】
【０００４】
【特許文献１】特開２０１７−９９７６１号公報
【特許文献２】特開２０１２−７９８０９号公報
【発明の概要】
【発明が解決しようとする課題】
【０００５】
特許文献１ではタブレット端末、特許文献２ではラップトップ型のパーソナルコンピュータに関するカバー等について記載されている。しかし、ラップトップ型のパーソナルコンピュータにおいてディスプレイ部とキーボード部とを着脱可能で使用する情報処理装置におけるカバーについては開示等されていない。
【０００６】
本開示は、ラップトップ型のパーソナルコンピュータといった情報処理装置においてディスプレイ部を有するタブレット端末を、キーボードを有するベース装置から分離して使用する、あるいはタブレット端末をベース装置に装着して使用する両ケースにおいて利用可能なカバーを提供する。
【課題を解決するための手段】
【０００７】
本開示における情報処理装置のカバーは、情報処理装置は、第１の筐体と第２の筐体とが脱着可能であり、第１の筐体は情報を表示する略平面長方形形状の表示部と、表示部の略平面長方形形状の長手辺側の第１の筐体側面に第２の筐体と電気的に接続するコネクタと、コネクタが設けられている同一の側面に第２の筐体と機械的に接続するロック機構と、を有し、カバーは、情報処理装置の表示部と対抗する側の第１の筐体に当接する背板部と、コネクタやロック機構が備えられている表示部の長手辺側の端部近傍を平面長方形形状の長手方向に通る前部ベルトと、前部ベルトから側面へ伸び、側面から背板部に回り込む下部ベルトと、を備え、下部ベルトは、コネクタとロック機構と干渉しない位置を通って前記背板部へ回り込んでいる。
【発明の効果】
【０００８】
本開示における情報処理装置のカバーは、一部を分離等して使用可能な情報処理装置において分離・装着の際にも煩わしくないカバーである。
【図面の簡単な説明】
【０００９】
【図１】本実施の形態１で例示する情報処理装置の外観図
【図２】本実施の形態１で例示する情報処理装置であってタブレット端末とベース装置とを分離した場合の外観図
【図３】本実施の形態１で説明するタブレット用カバーの斜視図
【図４】本実施の形態１で説明するタブレット用カバーの背面からの正射影図
【図５】本実施の形態１で説明するタブレット用カバーをタブレット端末へ装着した場合の前面下側の斜視図
【図６】本実施の形態１で説明するタブレット用カバーをタブレット端末へ装着した場合の後側の斜視図
【図７】本実施の形態１で説明する利用者の手掌をタブレット用カバーに挿入した場合の図
【図８】本実施の形態２で説明するベース装置用カバーの外観図
【図９】本実施の形態２で説明するベース装置用カバーの底面側の正射影図
【図１０】本実施の形態２で説明する利用者の手掌をベース装置用カバーに挿入した場合の図
【図１１】本実施の形態２で説明するベース装置用カバーをベース装置に装着した場合の上方側からの斜視図
【図１２】本実施の形態２で説明するベース装置用カバーをベース装置に装着した場合の底面側からの斜視図
【図１３】本実施の形態３で説明するタブレット端末とベース装置を接続し、その状態でカバーを使用する場合の図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者（ら）は、当業者が本開示を十分に理解するために添付図面および以下の説明を提供するのであって、これらによって特許請求の範囲に記載の主題を限定することを意図するものではない。
【００１２】
（実施の形態１）
＜情報処理装置＞
図１は、本開示の実施の形態１に係る電子機器の一例である情報処理装置の外観を示す図である。本実施の形態の情報処理装置１０は、タブレット端末１００と、タブレット端末１００と装着・分離可能なベース装置２００と、を備える。図１は、タブレット端末１００がベース装置２００に取り付けられた状態を示している。図２は、情報処理装置１０においてタブレット端末１００がベース装置２００から分離された状態を示す図である。図１及び図２に示すように、タブレット端末１００はベース装置２００に対して着脱可能である。
【００１３】
タブレット端末１００がベース装置２００に装着されているとき、利用者は情報処理装置１０をラップトップ型コンピュータとして利用することができる（図１）。また、タブレット端末１００は単体でも使用可能であり、タブレット端末１００をタブレット型コンピュータとして利用者は利用することができる（図２）。このように情報処理装置１０は、所謂デタッチャブル型コンピュータである。
【００１４】
＜タブレット端末＞
タブレット端末１００は、ディスプレイ１１０と、タッチスクリーン１２０と、額縁（ベゼル）１３０と、カメラ１４０と、マイク１５０と、コネクタ１６０（図５）と、ロック機構１７０、１８０（図５）とを有する。
【００１５】
ディスプレイ１１０は、タブレット端末１００が利用者に情報を表示するデバイスである。タッチスクリーン１２０は、利用者がタブレット端末１００へ入力を行うためのデバイスである。タッチスクリーン１２０は、ディスプレイ１１０よりも利用者側である前面に配置され、ディスプレイ１１０が照射する光を前面側へ透過させる。
【００１６】
なお、理解を容易にするため図１、図２において紙面の左下方向を「前」、右上方向を「後」、上方向を「上」、下方向を「下」又は「底」、左方向を「左」、右方向を「右」として説明する。
【００１７】
額縁（ベゼル）１３０は、ディスプレイ１１０とタッチスクリーン１２０の周辺部を囲うタブレット端末１００の筐体の一部である。額縁１３０は、ディスプレイ１１０の表示面の四方から表示面を囲っている。
【００１８】
カメラ１４０は、タブレット端末１００の利用者自身等、ディスプレイ１１０側に位置するものを撮影するデバイスである。マイク１５０は、タブレット端末１００の周囲の音を取得するためのデバイスである。
【００１９】
コネクタ１６０（図５）はタブレット端末１００とベース装置２００を電気的に接続する際のタブレット端末１００側の接続端子である。コネクタ１６０は、タブレット端末１００下部の略中央付近に設けられている。
【００２０】
ロック機構１７０、１８０（図５）はタブレット端末１００とベース装置２００とを機械的に接続した際に接続を安定的に保持するための機械的構造である。ロック機構１７０、１８０に対応する機械的構造がベース装置２００側にも設けられている。ロック機構１７０、１８０はタブレット端末１００を前面側(ディスプレイ１１０)から正視した場合に、タブレット端末１００下部において左右方向の略中央の位置を挟んで、略左右均等の位置に配置されている。
【００２１】
タブレット端末１００は、上記以外にも情報処理装置として一般的な演算装置（ＣＰＵ）、ＲＡＭ、ＲＯＭ等のメモリ、バッテリー、通信装置、等を内部に備える。なお、これらの詳細については本開示の発明の内容に直接関連しないため説明を省略する。
【００２２】
＜ベース装置＞
ベース装置２００は、タッチパッド２１１と、キーボード２１２と、コネクタ２２０と、リリーススライドレバー２３０と、外部端子接続２４０と、ロック機構２５０、２６０と、を備える。
【００２３】
タッチパッド２１１は、利用者が入力操作をおこなうためのデバイスである。タッチパッド２１１の上で利用者が指等を動かすと、それに応じてタブレット端末１００のディスプレイ１１０に表示されるポイント等が連動して動作する。
【００２４】
キーボード２１２は、利用者が入力操作を行うためのデバイスである。キーボード２１２は複数のキーから構成され、それぞれのキーにはあらかじめ割り当てられている文字等が設定されている。キーを押下することで対応する文字等をタブレット端末１００へ入力することができる。
【００２５】
コネクタ２２０は、ベース装置２００とタブレット端末１００とを電気的に接続するための接続端子である。コネクタ２２０はベース装置２００側の接続端子である。タブレット端末１００側には、コネクタ２２０と電気的に接続されるコネクタ１６０が備えられている。
【００２６】
リリーススライドレバー２３０は、タブレット端末１００をベース装置２００から取り外し可能にするための部材である。ベース装置２００は、タブレット端末１００が装着されたときにタブレット端末１００の保持状態をロックするロック機構２５０、２６０を備えている。タブレット端末１００がベース装置２００に装着されロックされた状態において、利用者がリリーススライドレバー２３０をベース装置２００の長手方向にスライドさせると、ロックが解除される。これにより、タブレット端末１００をベース装置２００から取り外すことが可能となる。
【００２７】
外部端子接続２４０は、情報処理装置１０を周辺機器と接続するための入出力ポートであり、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）等の通信インタフェースなどがある。
【００２８】
ロック機構２５０、２６０はタブレット端末１００のロック機構１７０、１８０と機械的に接続され、タブレット端末１００とベース装置２００との接続を保持したり、解消したりするための構造部である。
【００２９】
ベース装置２００は、上記以外にもバッテリー等（図示せず）を内部に備える。これらについては本開示の発明の内容に直接関連しないので説明を省略する。
【００３０】
＜タブレット用カバー＞
図３は、タブレット端末１００に装着するタブレット用カバーの斜視図である。図４はタブレット用カバーの背面の正射影図である。タブレット用カバー３００は、背板部３１０と、上部ベルト３２０、３３０と、前部ベルト３６０と、下部ベルト３７０、３８０と、下部コーナーベルト３９０と、開口部４００と、背面上部ファスナー４１０、４２０と、把手部４５０と、を備える。
【００３１】
背板部３１０は、タブレット端末１００の背面側、つまりディスプレイ１１０、タッチスクリーン１２０と反対側の筐体面を覆う部分である。背板部３１０は、タブレット端末１００全体を支えるため、タブレット端末１００へ装着されてもその形状を保つ強度を有する部材で構成されることが好ましい。具体的には、背板部３１０には芯材となる紙、板、金属等を有し、その外側を布、皮革等で覆ったような構成で実現することができる。
【００３２】
上部ベルト３２０、３３０は、タブレット端末１００をタブレット用カバー３００へ装着しベース装置２００へ取り付けた際のディスプレイ１１０やタッチスクリーン１２０の上部側となる部分に設けられるベルトである。上部ベルト３２０、３３０はそれぞれタブレット端末１００の上部角部を上側から左右方向へ通される。上部ベルト３２０、３３０は好ましくは柔軟性のある布部材等で構成されることが好ましい。
【００３３】
上部ベルト３２０、３３０はその一端がそれぞれ背板部３１０の上部に固定されている。他端側には、ベルクロ（登録商標）、マジックテープ（登録商標）で一般的な面形状のファスナーが施された上部ファスナー３４０、３５０が備えられている。上部ベルト３２０、３３０がタブレット端末１００の上部からそれぞれ下方右側、又は下方左側に延ばされ、先端に設けられた上部ファスナー３４０、３５０が後述する背面上部ファスナー４１０、４２０へそれぞれ接続されることで、タブレット端末１００の上部を背板部３１０に固定することができる。
【００３４】
前部ベルト３６０は、タブレット端末１００をタブレット用カバー３００へ装着した際にタブレット端末１００の下部をタブレット端末１００の長手方向に通るベルトである。前部ベルト３６０は、タブレット端末１００の長手方向端部ではタブレット端末１００の背面側へ回り込むと同時に上側へあがっている。そして前部ベルト部３６０の両橋は背板部３１０に固定される。タブレット用カバー３００がタブレット端末１００に装着されると、前部ベルト３６０はディスプレイ１１０が表示する実際の表示領域の外側の部分、及び額縁１３０の部分と当接してタブレット端末１００の下側を支える。これによりディスプレイ１１０が表示する表示内容が前部ベルト３６０により視認の妨げとなるのを抑制する。
【００３５】
下部ベルト３７０、３８０は前部ベルト３６０の長手方向の途中からから下側へ伸び、さらにタブレット端末１００の背面側へ回り込んで背板部３１０に固定される。下部ベルト３７０、３８０は図３に示すように前部ベルト３６０の長手方向に２か所設けられている。
【００３６】
下部コーナーベルト３９０は、タブレット端末１００の下部の角部に設けられたベルトである。下部コーナーベルト３９０は、前部ベルト３６０の長手方向端部付近においてその一部が下側へ伸び、さらにタブレット端末１００の背面側へ回り込んで背板部３１０に固定される。本実施の形態では、下部コーナーベルト３９０はタブレット端末１００の前面下部左右方向の一方にしか設けていない。しかし、本開示で説明する発明はこれに限定するものではなく、左右方向の両角部にベルトを設けるものであってもよいし、右方向の端部にのみベルトを設けるものであってもよい。
【００３７】
以上により、タブレット用カバー３００がタブレット端末１００に装着された場合に、タブレット端末１００の下部を前部ベルト３６０、下部ベルト３７０、３８０、下部コーナーベルト３９０により安定的に支持することができる。
【００３８】
なお、前部ベルト３６０、下部ベルト３７０、３８０、下部コーナーベルト３９０については形状が限定されず柔軟性のある布部材等で構成されることが好ましい。
【００３９】
開口部４００は、タブレット端末１００の背面に備えられているカメラへの入射光やカメラ撮影用照明装置から照射される光を通すために設けられているものである。背板部３１０の前側と後側とを連通している。
【００４０】
背面上部ファスナー４１０、４２０は、上述した上部ファスナー３４０、３５０と接続されるファスナーである。前面から裏面側に回ってきた上部ベルト３２０、３３０の先端に設けられている上部ファスナー３４０、３５０とそれぞれ接続される。
【００４１】
把手部４３０は、タブレット端末１００をタブレット用カバー３００に装着して使用する際に、利用者がタブレット端末１００を保持する手を挿入させるためのバンドである。把持部４３０の構成や、利用方法等についての詳細は後述する。
【００４２】
＜タブレット用カバーをタブレット端末へ装着する手順＞
タブレット端末１００がタブレット用カバー３００に装着される際には、最初にタブレット端末１００の下部を前部ベルト３６０、下部ベルト３７０、３８０、下部コーナーベルト３９０とで構成される略網形状の部分へ挿入する。これによりタブレット端末１００はその下部がこれらのベルトにより保持される。
【００４３】
その後、タブレット端末１００の背面を背板部３１０に当接させる。次に、上部ベルト３２０、３３０をタブレット端末１００上部端部からタブレット端末１００の前面を通して背板部の右上方、又は左上方に通し、上部ベルト３２０，３３０の先端に設けられている上部ファスナー３４０、３５０を背板部３１０に設けられている背面上部ファスナー４１０、４２０にそれぞれ接続する。
【００４４】
これにより、タブレット用カバー３００はその上部では上部ベルト３２０、３３０によりタブレット端末１００を背板部３１０へ当接させる。一方タブレット用カバー３００の前部ベルト３６０、下部ベルト３７０、３８０、下部コーナーベルト３９０がタブレット端末１００の下部を背板部３１０へ当接させる。その結果、タブレット端末１００は全体としてタブレット用カバー３００に固定される。
【００４５】
＜下部ベルト、下部コーナーベルトの取り付け位置について＞
図５はタブレット端末にタブレット用カバーを装着した場合の前面下側の斜視図である。
【００４６】
タブレット端末１００の下部にはベース装置２００と電気的に接続するためのコネクタ１６０や、機械的に接続しそれを保持するあるいは解除するためのロック機構１７０、１８０が設けられている。そのため、下部ベルト３７０、３８０、下部コーナーベルト３９０がこれらに干渉するとタブレット端末１００とベース装置２００との接続が阻害される。
【００４７】
本開示ではこれらの課題を解消するため、下部ベルト３７０、３８０及び下部コーナーベルト３９０は、タブレット端末１００のコネクタ１６０、ロック機構１７０、１８０がある位置を避けて、設けられている。具体的にはコネクタ１６０がタブレット端末１００の長手方向の略中央部に配置されている。またロック機構１７０、１８０はコネクタ１６０を中心にタブレット端末１００の長手方向にコネクタ１６０から所定量離隔した場所に配置されている。
【００４８】
そこで下部ベルト３７０はコネクタ１６０とロック機構１７０との間の位置に、下部ベルト３８０はコネクタ１６０とロック機構１８０との間の位置に、設ける。また、下部コーナーベルト３９０は、ロック機構１８０に対してコネクタ１６０と反対側の位置、つまりロック機構１８０からさらに端部側に設ける。
【００４９】
これにより下部ベルト３７０、３８０、下部コーナーベルト３９０がタブレット端末１００とベース装置２００との接続を阻害することなく、またタブレット端末１００の長手方向の全体にわたってタブレット端末１００を支えることができ、より安定してタブレット用カバー３００を利用することができる。
【００５０】
また、下部ベルト３７０、３８０と下部コーナーベルト３９０との素材を薄手の布部材とすることで、タブレット端末１００がベース装置２００に装着された場合でも、この両者の僅かな隙間にこれらのベルトが挿入されることとなり、タブレット端末１００とベース装置２００との接続を阻害することを抑制することができる。
【００５１】
これにより、タブレット用カバー３００を装着したタブレット端末１００をベース装置と接続する際に、わざわざタブレット用カバー３００を取り外す必要なく装着したまま、簡便に接続することができる。
【００５２】
＜タブレット用カバーの把手部について＞
図６は、タブレット端末にタブレット用カバーを装着した場合の後側の斜視図である。把手部４３０は、ベース部４３１と、伸長部４３４とを備え、背板部３１０に固定されている。
【００５３】
ベース部４３１は、伸長部４３４よりもタブレット端末１００の後方向に位置する。ベース部４３１は、その一部が後方向に円弧状に膨らんだ撓み部４３２、４３３を有したベルトである。撓み部４３２、４３３は、ベース部４３１を部分的に撓ませている。
【００５４】
伸長部４３４は、ベース部４３１よりも前側、つまりタブレット端末１００の背面に近い方向に位置する。伸長部４３４はベース部４３１と同様に略ベルト形状を有する。伸長部４３４は、把持部４３０の長手方向に伸びたり、縮んだりすることが可能な部材である。具体的には布製のゴム材などを利用することができる。
【００５５】
タブレット用カバー３００を取り付けたタブレット端末１００を使用する際、利用者は、把持部４３０と背板部３１０との間にタブレット端末１００を保持する手掌を挿入する。図７はこの状態を示した図である。利用者が把持部４３０と背板部３１０との間に手掌を挿入すると、手掌の厚みのぶんだけ把持部４３０が背板部３１０から離隔する方向（後側）に膨らむ。
【００５６】
この時、伸長部４３４はその形状が伸縮可能なため把持部４３０の長手方向に伸びる。伸長部４３４は伸びた分だけ収縮しようとする力が働くため、利用者の手掌を背板部３１０に押圧する。これにより、利用者はその手掌をタブレット用カバー３００の背板部３１０に密着され、安定してタブレット端末１００を片手で保持することができる。また、伸長部４３４が伸びているとき、ベース部４３１は撓み部４３２、４３３がそのふくらみを形成する分の長さを、伸長部４３４の伸び方向に利用することでベース部４３１も長さの変更に対応することができる。
【００５７】
なお、上記の伸長部４３４はその長手方向の長さがベース部４３１の当該長さと同程度のものであってもよい。また、伸長部４３４がベース部４３１の撓み部４３２，４３３が設けられる部分にのみ配置されるものであってもよい。この場合は、伸長部４３４に使用する素材の材料の量を抑制することができる。
【００５８】
（実施の形態２）
＜ベース装置用カバー＞
図８はベース装置へ取り付けるベース装置用カバーの斜視図である。図９はベース装置用カバー底面の正射影図である。ベース装置用カバー６００は、底板部６１０と、後部ベルト６２０、６３０と、後部ファスナー６４０、６５０と、前部コーナーポケット６７０、６８０と、収納ベルト６９０、７００と、収納ファスナー７１０、７２０と、底面後部ファスナー７３０、７４０と、脚部７５０、７６０と、把持部７７０と、底面前部ファスナー７８０、７９０と、を有する。
【００５９】
底板部６１０は、ベース装置２００の底面側に取り付けられるカバーである。底板部６１０は、ベース装置２００等を支持するため、その内部に芯材となる強度を有するもの、例えば紙、板、金属等を有し、その外側を布、皮革等で覆ったような構成で実現することができる。
【００６０】
後部ベルト６２０、６３０は、底板部６１０の後側にとりつけられるベルトである。後部ベルト６２０、６３０は底板部６１０の後側の部分に固定され、底板部６１０の外側に伸びる形状を有する。後部ベルト６２０、６３０の底板部６１０に固定されているのと反対の端には、後部ファスナー６４０、６５０が備えられている。後部ファスナー６４０、６５０は、タブレット用カバー３００で説明した上部ファスナー３４０、３５０と同様に面形状のファスナーを有する。
【００６１】
ベース装置用カバー６００がベース装置２００に取り付けられる際、底板部６１０の後側から延びる後部ベルト６２０、６３０はベース装置２００の底面から後部側面、上面へと順に続き、さらにベース装置２００の側部を経由して再度底面と続く。底面へと到達した後部ベルト６２０、６３０は、その先端に設けられている後部ファスナー６４０、６５０と底板部６１０に設けられている底面後部ファスナー７３０、７４０とをそれぞれ接着させることで、ベース装置２００の後方を固定・支持する。
【００６２】
後部ベルト６２０には、さらにそのベルト形状内部に開口部６６０が設けられている。これは後部ベルト６２０をベース装置２００の後角部に沿わせたときに、ベルトが覆う部分に設けられているベース装置２００の外部端子接続２４０等に接続ケーブルを通すために設けられている。本実施の形態では、後部ベルト６２０に開口部６６０を設けている場合を例示しているが、本開示の内容はこれに限定されない。反対側の後部ベルト６３０に開口部を設けるものであってもよいし、後部ベルト６２０、６３０の両ベルトに開口部を設けるものであってもよい。
【００６３】
前部コーナーポケット６７０、６８０は底板部６１０の上側前部に設けられているベルトを利用したポケットである。前部コーナーポケット６７０、６８０は、底板部６１０に両端を固定されたベルトにより構成されている。これらのベルトは底板部６１０の前部から延び、底板部６１０左右にある側部の前側部分に固定されている。この形状により、前部コーナーポケット６７０、６８０はベース装置用カバー６００がベース装置２００に取り付けられた場合に、ベース装置２００の前側を支持・固定することができる。
【００６４】
収納ベルト６９０、７００は底板部６１０の前端付近から前方向に略直線的に伸びているベルトである。ベルトの一方は、底板部６１０の前部に固定されている。ベルトの他方の端には、上部ファスナー３４０、３５０あるいは後部ファスナー６４０、６５０と同様に面ファスナーが設けられている。これは、タブレット用カバー３００に設けられている背面上部ファスナー４１０、４２０や、ベース装置用カバー６００に設けられている底面前部ファスナー７８０、７９０に対応するものである。
【００６５】
収納ベルト６９０、７００には２つの使い方が考慮されている。まず、タブレット端末１００のディスプレイ１１０と、ベース装置２００のキーボード２１２とを向き合わせ略平行とする状態、所謂ラップトップパソコン等を閉じている状態、においてベース装置用カバー６００の収納ベルト６９０、７００ベース装置２００の前部からタブレット端末１００側へ取り回し、収納ベルト６９０、７００の先端にある収納ファスナー７１０、７２０をタブレット用カバーの背面上部ファスナー４１０、４２０にそれぞれ接着させる使い方である。
【００６６】
この場合、タブレット端末１００とベース装置２００とを閉じた状態において、これらが安易に開かないよう、タブレット用カバー３００とベース装置用カバー６００とを連結して両者を保護することができる。
【００６７】
２つ目の使い方は、収納ベルト６９０、７００をベース装置用カバー６００の底面側に回転させて、収納ベルト６９０、７００の先端に設けられている収納ファスナー７１０、７２０をベース装置用カバー６００の底面に設けられている底面前部ファスナー７８０，７９０にそれぞれ接着する使い方である。
【００６８】
この場合、タブレット端末１００をベース装置２００に取り付けラップトップパソコンの形態として使用する際に、ベース装置用カバー６００から延びる収納ファスナー７１０、７２０をコンパクトに収納することができる。
【００６９】
脚部７５０、７６０はベース装置用カバー６００の底面側の後部に固定されている。脚部７５０、７６０はその一部である凸部７５１、７６１が底面（載置面)側に隆起する形状を有する。脚部７５０、７６０の一部は底板部６１０の後端側よりもさらに後に伸びている。凸部７５１、７６１は脚部７５０、７６０の後端側に取り付けられている。これにより、凸部が底板部６１０の後端よりも、より後側の位置に配置することが可能となる。
【００７０】
ベース装置用カバー６００に脚部７５０、７６０及び凸部７５１、７６１を設けることにより、ベース装置２００等を載置面に載置する際に底板部６１０の底面側に設けられている各種の装備、例えば底面後部ファスナー７３０、７４０、把持部７７０、底面前部ファスナー部７８０、７９０等が載置面と干渉してベース装置２００の載置が不安定になることを抑制する。
【００７１】
これにより、タブレット端末１００を装着したベース装置２００等全体を載置面に載置する場合、前側は、底板部６１０の前端付近で支持し、後側は脚部７５０、７６０に設けられた凸部７５１、７６１で支持することができる。凸部７５１、７６１が底板部６１０の後端よりもさらに後方の位置にあるので、底板部６１０で支えるよりもより安定してタブレット端末１００及びベース装置２００を支持することができる。また、凸部７５１、７６１がベース装置２００の後側を上方へ上げているので、ベース装置２００に設けられているキーボード２１２を適度に前側に傾斜させることができ、利用者がより利用しやすい環境を提供できる。さらに、凸部７５１、７６１が底板部６１０の後側を上へあげていることで、把持部７７０、底面後部ファスナー７３０、７４０、後部ベルト６２０、６３０等が載置面と干渉することを抑制できるので、より安定して載置することができる。
【００７２】
把持部７７０は、タブレット用カバー３００の把持部４３０と同様に利用者がベース装置用カバー６００を取り付けたベース装置２００を保持するための手掌を挿入、固定するためのものである。その構成はタブレット用カバー３００の把持部４３０と同様であるため説明を省略する。
【００７３】
図１０は、ベース装置用カバー６００の把持部７７０に、利用者の手掌を挿入した場合の図である。利用者が手掌を把持部７６０に挿入することで、把持部を構成する伸縮部(図示せず)が利用者の主張をベース装置２００に押圧し、利用者が安定してベース装置２００等を保持することが可能となる。
【００７４】
図１１は、ベース装置用カバー６００をベース装置２００に装着した場合の上方側からの斜視図である。図１２は、ベース装置用カバー６００をベース装置２００に装着した場合の底面側からの斜視図である。
【００７５】
＜ベース装置用カバーへのベース装置の取り付け＞
ベース装置２００をベース装置用カバー６００へ取り付ける際には、最初にベース装置２００を底板部６１０の上に載置する。次にベース装置２００の前部を前部コーナーポケット６７０、６８０へ挿入する。これにより、ベース装置２００は底部と前部を、底板部６１０と前部コーナーポケット６７０、６８０とにより支持される。
【００７６】
そして、後部ベルト６２０、６３０をベース装置２００の後部側方からベース装置２００の後部上面、ベース装置２００の後部側面へと這わせ、後部ファスナー６４０、６５０を底面後部ファスナー７３０、７４０にそれぞれ固定する。これにより、ベース装置２００は前後方向、及び上方向において前部コーナーポケット６７０、６８０及び後部ファスナー６４０、６５０により底板部６１０に固定される。その結果、ベース装置２００はっベース装置用カバー６００に安定して装着される。
【００７７】
（実施の形態３）
実施の形態１ではタブレット端末１００とタブレット用カバー３００との関係について主に説明した。実施の形態２ではベース装置２００とベース装置用カバー６００との関係について主に説明した。本実施の形態ではタブレット端末１００をベース装置２００に装着した場合に、タブレット用カバー３００とベース装置用カバー６００とを使用する際の内容について説明する。
【００７８】
図１３は、タブレット端末１００とベース装置２００とを接続した状態において、タブレット用カバー３００とベース装置用カバー６００とを装着している状態の図である。タブレット端末１００はタブレット用カバー３００を取り付けた状態でベース装置２００への着脱が可能である。
【００７９】
これは、タブレット用カバー３００を構成している前部ベルト３６０、下部ベルト３７０、３８０及び下部コーナーベルト３９０の構成により実現している。具体的には、下部ベルト３７０、３８０、及び下部コーナーベルト３９０は、タブレット端末１００の長手方向の側面に設けられているタブレット端末１００とベース装置２００との電気的接続用のコネクタ１６０と機械構造上の嵌合機能であるロック機構１７０、１８０とが配置されている位置を避けて、タブレット端末１００のディスプレイ１１０側からコネクタ１６０やロック機構１７０、１８０が設けられているタブレット端末１００の側面を通り、ディスプレイ１１０と対抗する背面側の背板部３１０へと接続している。
【００８０】
これにより、下部ベルト３７０、３８０及び下部コーナーベルト３９０がタブレット端末１００とベース装置２００とが電気的に接続する際のコネクタ１６０や、ロック機構１７０、１８０に物理的に干渉することを抑制している。
【００８１】
さらに、これらの下部ベルト３７０、３８０及び下部コーナーベルト３９０を薄手の皮革製素材や、薄手の耐久性のある布素材等で構成することにより、これらのベルトの厚みによるコネクタ１６０や、ロック機構１７０、１８０への影響をより小さくしている。これらのベルトの厚みをタブレット端末１００とベース装置２００その接続時に両者間の隙間の厚みよりも実質的に小さいものとする、あるいは、両装置が接続した際に両者の押圧で当該隙間スペースよりも小さく圧縮される素材を利用することで、これらの接続を物理的に妨げる可能性を抑制することができる。
【００８２】
（他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００８３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８４】
また、上述の実施の形態は、本開示における技術を例示するためのものであるから、特許請求の範囲またはその均等の範囲において種々の変更、置き換え、付加、省略などを行うことができる。
【００８５】
上記に記載の複数の実施の形態での説明を通じて、本開示では以下の内容について開示した。
【００８６】
情報処理装置は、第１の筐体と第２の筐体とに分離・結合が可能な着脱可能な構成となっている。第１の筐体は、ディスプレイなどの表示部を有する。表示部は略長方形の平面パネル形状の液晶ディスプレイや、その他各種の平面ディスプレイパネルなどが一般的である。第１の筐体の内部には、各種の情報を処理する演算部などが格納されている。
【００８７】
表示部の略長方形形状の長手辺側の第１の筐体の側面には、第１の筐体と第２の筐体や外部機器とを接続するコネクタやロック機構が設けられている。コネクタは第１の筐体と第２の筐体とを電気的に接続するためのものである。ロック機構は第１の筐体と第２の筐体とを機械的に結合・分離することを可能とするものである。
【００８８】
上記のような第１の筐体に取り付けられるカバーは、第１の筐体の表示部とは反対側、つまり表示部が設けられている側とは対抗する側の筐体面に当接する背板部を有する。
また、第１の筐体に取り付けられるカバーは、コネクタやロック機構が設けられている第１の筐体の側面側であって、前記表示部の端部近傍に位置し、表示部が設けられている面の長手方向に通っている前部ベルトを有する。前部ベルトは、その両端が背板部側に回り込み両端とも背板部に固定されている。さらにカバーは、前部ベルトからコネクタやロック機構が設けられている第１の筐体の側面を通って背板部へ回り込む下部ベルトを有する。このとき、下部ベルトはコネクタやロック機構と干渉しない位置を通って、前部ベルトから背板部へ回り込んでいる。
【００８９】
これにより、第１の筐体に取り付けられるカバーは、コネクタやロック機構と干渉することを抑制することができる。その結果、第１の筐体と第２の筐体とを着脱する際に、カバーを取り外す等の煩わしさを低減することができる。
【００９０】
なお、上記のカバーにおいてさらに、実施の形態でも説明したように、コネクタが第１の筐体側面の長手方向の略中央に配置され、ロック機構がコネクタを挟んでその両側に配置されている場合を想定すると、下部ベルトを２つ用い、コネクタと一つのロック機構との間に一つの下部ベルトを配置する。他方の下部ベルトを、コネクタと他方のロック機構との間に配置する。このようにすることで上記の効果だけではなく、第１の筐体のカバーがより安定して第１の筐体を支持することが可能となる。
【００９１】
なお、ひとつのロック機構に対しコネクタと反対側の位置にさらに前部ベルトから延び、第１の筐体のコネクタやロック機構が設けられている側面を経由して背板部へ通じる下部コーナーベルトをさらに設けてもよい。これにより、より安定して第１の筐体のカバーは第１の筐体支持することができる。
【００９２】
また、この下部コーナーベルトは、一つのロック機構側のみに設けるものであってもよいし、両方のロック機構に対して設けるものであってもよい。
【００９３】
なお、下部ベルトや下部コーナーベルトは第１の筐体と第２の筐体とが結合される際に、結合を阻害することが無いよう、第１の筐体と第２の筐体との隙間に収まる程度に厚みの部材で形成されることが望まれる。これにより、第１の筐体と第２の筐体とを着脱する度にカバーを取り外す等の煩わしさを軽減することができる。
【００９４】
また、カバーの背板部には第１の筐体にカバーを取り付けたまま第１の筐体を持ち運びや指示できるように把持部を設けるものであってもよい。把持部は、把手のような形状を有して背板部に取り付けられている。把持部はベルト形状のベース部と、ベース部の裏側(背板部側)に取り付けられる伸縮部とを備える。
【００９５】
ベース部はベルト形状の長手方向を表示部の長手方向と実質一致する方向に背板部に取り付けられている。また、ベース部の一部は意図的に撓ませさた撓み部を有する。撓み部の部分ではベース部のベルト形状が一部隆起等している。伸縮部はベース部の裏側に取り付けられている。伸長部はゴム等のように伸長方向に対して収縮方向可能な素材で構成される。ベース部の撓み部の裏には少なくともこの伸縮部が設けられている。
【００９６】
利用者がカバーの把持部に手掌を挿入すると、挿入された手掌の厚み分だけベルトと伸縮部が伸ばされる。ベルトは、この伸びに対して撓み部の延長可能な領域を利用することで対応することができる。伸長部は、この伸びに対して素材自体を伸長させることで対応できる。また、進捗部は伸びることで、元に戻ろうとする復元力が伸長部に発生する。これは、利用者が把持部に挿入した手掌を背板部側へ押す力となる。そのため、利用者の手掌を背板部へ密着させる力が働くので、利用者はより安定して第１のカバーに取り付けられた第１の筐体を保持することができる。
【産業上の利用可能性】
【００９７】
本開示で示した発明は、タブレット端末やラップトップコンピュータに装着するカバーとして利用することが可能である。
【符号の説明】
【００９８】
１０  情報処理装置
１００  タブレット端末
１１０  ディスプレイ
１２０  タッチスクリーン
１３０  額縁
１４０  カメラ
１５０  マイク
１６０  コネクタ
１７０  ロック機構
１８０  ロック機構
２００  ベース装置
２１１  タッチパッド
２１２  キーボード
２２０  コネクタ
２３０  リリーススライドレバー
２４０  外部端子接続
２５０  ロック機構
２６０  ロック機構
３００  タブレット用カバー
３１０  背板部
３２０  上部ベルト
３３０  上部ベルト
３４０  上部ファスナー
３５０  上部ファスナー
３６０  前部ベルト
３７０  下部ベルト
３８０  下部ベルト
３９０  下部コーナーベルト
４００  開口部
４１０  背面上部ファスナー
４２０  背面上部ファスナー
４３０  把持部
４３１  ベース部
４３２  撓み部
４３３  撓み部
４３４  伸長部
６００  ベース装置用カバー
６１０  底板部
６２０  後部ベルト
６３０  後部ベルト
６４０  後部ファスナー
６５０  後部ファスナー
６６０  開口部
６７０  前部コーナーポケット
６８０  前部コーナーポケット
６９０  収納ベルト
７００  収納ベルト
７１０  収納ファスナー
７２０  収納ファスナー
７３０  底面後部ファスナー
７４０  底面後部ファスナー
７５０  脚部
７５１  凸部
７６０  脚部
７６１  凸部
７７０  把持部
７８０  底面前部ファスナー
７９０  底面前部ファスナー
【図１】
2020154343.tif 000003
【図２】
2020154343.tif 000004
【図３】
2020154343.tif 000005
【図４】
2020154343.tif 000006
【図５】
2020154343.tif 000007
【図６】
2020154343.tif 000008
【図７】
2020154343.tif 000009
【図８】
2020154343.tif 000010
【図９】
2020154343.tif 000011
【図１０】
2020154343.tif 000012
【図１１】
2020154343.tif 000013
【図１２】
2020154343.tif 000014
【図１３】
2020154343.tif 000015